(57)【特許請求の範囲】
【請求項１】
照明装置を所定の配列で配設する照明器具であって、
貫通孔が形成され、前記照明装置の発光部が前記貫通孔に挿入される保持部と、
前記保持部を係留する係留部とを有し、
複数の前記保持部が、長さを調整可能な前記係留部により、所定の間隔及び角度で配設されていること
を特徴とする照明器具。
【請求項２】
照明装置を所定の配列で配設する照明器具であって、
貫通孔が形成され、前記照明装置の発光部が前記貫通孔に挿入される保持部と、
前記保持部を係留する係留部とを有し、
前記保持部の前記貫通孔は、前記保持部に備えられた挿入部に形成され、
前記保持部に備えられた複数の前記挿入部は、形状が異なる前記貫通孔がそれぞれ形成され、形状が異なる前記照明装置の前記発光部がそれぞれ挿入されていること
を特徴とする照明器具。
【請求項３】
前記保持部に備えられた前記挿入部は、前記保持部に対して着脱可能又は回動可能であること
を特徴とする請求項２に記載の照明器具。
【請求項４】
前記保持部は、複数に分割可能であること
を特徴とする請求項１又は２に記載の照明器具。
【請求項５】
前記保持部は、リング状から形成されていること
を特徴とする請求項１又は２に記載の照明器具。
【請求項６】
前記保持部は、外周面が円形状又は多角形状に形成されていること
を特徴とする請求項１又は２に記載の照明器具。
【請求項７】
外形の大きさが異なる前記保持部が、上下方向に位置を異ならせて立体状に配設され、又は水平方向に並列して平面状に配設されていること
を特徴とする請求項１又は２に記載の照明器具。
【発明の詳細な説明】
【技術分野】
【０００１】
本発明は、照明装置を所定の配列により例えば立体的に配設する照明器具に関する。
【背景技術】
【０００２】
従来、天井面に取り付けられる照明器具に関して、二次電池と、二次電池を電池収容部に装着して二次電池の電力によりＬＥＤを点灯させる点灯回路基板を有する点灯装置とを備え、取付面に取り付けられた場合に二次電池と点灯回路基板とが取付面に略平行になるように配置される構成がある（例えば、特許文献１参照。）。
【０００３】
また、特に白熱電球等のフィラメントを備える電球が前面開口部に対して横向きに装備されるタイプの照明器具に関して、前面に開口する器具本体の一側面部のソケット取付部に回動可能なソケット台を設け、このソケット台に電球装着用のソケットを固定し、ソケット台を操作してソケットを回動させることにより、ソケットに装着された電球のフィラメントの方向を調整できるようにした構成がある（例えば、特許文献２参照。）。
【先行技術文献】
【特許文献】
【０００４】
【特許文献１】特開２００８−２６２７１４号公報
【特許文献２】特開２００５−０１１６００号公報
【発明の概要】
【発明が解決しようとする課題】
【０００５】
しかしながら、前述の様な構成では、例えば複数の照明装置の間隔や高さ等を任意に選択して、該複数の照明装置を立体状に配設することが困難であるという問題があった。
【０００６】
そこで、本発明は前述の技術的な課題に鑑み、例えば複数の照明装置の間隔や高さ等を任意に選択して、該複数の照明装置を立体状に配設することが可能な照明器具の提供を目的とする。
【課題を解決するための手段】
【０００７】
前述の課題を解決すべく、本発明に係る照明器具は、照明装置を所定の配列で配設する照明器具であって、貫通孔が形成され、前記照明装置の発光部が前記貫通孔に挿入される保持部と、前記保持部を係留する係留部とを有し、複数の前記保持部が、長さを調整可能な前記係留部により、所定の間隔及び角度で配設されていることを特徴とする。
【発明の効果】
【０００８】
本発明に係る照明器具によれば、例えば複数の照明装置の間隔や高さ等を任意に選択して、該複数の照明装置を立体状に配設することができる。
【図面の簡単な説明】
【０００９】
【図１】本発明の第１の実施形態に係る照明器具に複数の照明装置を挿入した状態を示す斜視図であり、（ａ）は複数の照明装置を挿入した照明器具を上方から示す斜視図、（ｂ）は複数の照明装置を挿入した照明器具を下方から示す斜視図である。
【図２】本発明の第１の実施形態に係る照明器具を示す斜視図であり、（ａ）は照明器具を上方から示す斜視図、（ｂ）は照明器具を下方から示す斜視図である。
【図３】本発明の第１の実施形態に係る照明器具を示す図であり、（ａ）は照明器具を上面から示す図、（ｂ）は照明器具を側面から示す図である。
【図４】本発明の第１の実施形態に係る照明器具を示す断面図である。
【図５】本発明の第１の実施形態に係る照明器具を構成する複数の保持部の１つを示す斜視図である。
【図６】本発明の第１の実施形態に係る照明器具を構成する保持部に形成された貫通孔に照明装置の発光部を挿入する状態を示す斜視図であり、（ａ）は先端が十字状に分岐された導光板から成る発光部が設けられた複数の照明装置を保持部の複数の貫通孔にそれぞれ挿入している状態を示す斜視図、（ｂ）は主面に凹部が形成され且つ先端が十字状に分岐された導光板から成る発光部が設けられた複数の照明装置を保持部の複数の貫通孔にそれぞれ挿入している状態を示す斜視図である。
【図７】本発明の第１の実施形態に係る照明器具を構成する複数の保持部を上方から示す斜視図であり、（ａ）は中心の保持部が周辺の保持部よりも相対的に高い位置に配設されている状態を上方から示す斜視図であり、（ｂ）は隣接する保持部の間隔が十分に設けられた状態を上方から示す斜視図であり、（ｃ）は隣接する保持部の高さを周辺から２つ毎に同一にした状態を上方から示す斜視図である。
【図８】本発明の第１の実施形態に係る照明器具を構成する外形が多角形から成る保持部を示す斜視図である。
【図９】本発明の第１の実施形態に係る照明器具を構成する長さ調整機構を備えた係留部を示す斜視図であり、（ａ）は延伸させた係留部を示す斜視図、（ｂ）は屈折させた係留部を示す斜視図である。
【図１０】本発明の第１の実施形態に係る照明器具を構成する長さ調整機構を備えた係留部の一部を示す断面図である。
【図１１】本発明の第１の実施形態に係る照明器具を構成する長さ調整機構を備え且つ簡便な部材から成る係留部を示す斜視図である。
【図１２】本発明の第１の実施形態に係る照明器具を構成する長さ調整機構を備え且つ簡便な部材から成る係留部の一部を示す断面図である。
【図１３】本発明の第２の実施形態に係る照明器具の構成部材である挿入部を備えた保持部の一部を示す斜視図であり、（ａ）は照明装置の発光部を挿入部に形成された貫通孔に挿入し且つ挿入部を保持部の多角形状に形成された装着穴に対して着脱可能に装着する状態を示す斜視図、（ｂ）は照明装置の発光部を挿入部に形成された貫通孔に挿入し且つ挿入部を保持部の円形状に形成された装着穴に対して着脱且つ回動可能に装着する状態を示す斜視図である。
【図１４】本発明の第２の実施形態に係る照明器具の構成部材である保持部の複数の挿入部に発光部の形状が異なる複数の照明装置をそれぞれ装着する状態の一部を示す斜視図であり、（ａ）は発光部の形状が異なる複数の照明装置を複数の挿入部に装着する状態を上方から示す斜視図、（ｂ）は発光部の形状が異なる複数の照明装置を複数の挿入部に装着する状態を下方から示す斜視図である。
【図１５】本発明の第３の実施形態に係る照明器具の構成部材である複数に分割可能な保持部を示す斜視図であり、（ａ）は複数に分割可能な保持部を上方から示す斜視図、（ｂ）は複数に分割可能な保持部を下方から示す斜視図である。
【発明を実施するための形態】
【００１０】
以下、本発明の照明器具に係る好適な実施形態について、図面を参照しながら説明する。なお、本発明の照明器具は、以下の記述に限定されるものではなく、本発明の要旨を逸脱しない範囲において、適宜変更可能である。
【００１１】
また、以下の説明においては、最初に本発明の第１の実施形態に係る照明器具１について図１乃至図１２を参照しながら説明する。次に本発明の第２の実施形態に係る照明器具２について図１３及び図１４を参照しながら説明する。次に本発明の第３の実施形態に係る照明器具３について図１５を参照しながら説明する。最後に本願発明に係る第１乃至第３の実施形態に係る照明器具１乃至照明器具３の構成と主な作用効果について請求項毎に説明する。
【００１２】
［第１の実施形態］
以下、本発明の第１の実施形態に係る照明器具１について、図１乃至図１２を参照しながら、具体的に説明する。
【００１３】
第１の実施形態の照明器具１は、照明装置を所定の配列で配設する。具体的には、照明器具１は、例えば図１に示すように、複数の照明装置Ｌ１を挿入して配設する。なお、図１（ａ）は複数の照明装置Ｌ１を挿入した照明器具１を上方から示したものであり、図１（ｂ）は該照明器具１を下方から示したものである。この様な照明器具１は、例えば図２に示すように、保持部１０及び係留部２０から構成されている。以下、照明器具１の各構成について順に説明する。
【００１４】
第１の実施形態の照明器具１を構成する保持部１０は、貫通孔が形成され、照明装置の発光部が貫通孔に挿入される。この様な保持部１０は、図２の斜視図、図３の上面図及び側面図、及び図４の断面図に図示するように、例えば、第１の保持部１１、第２の保持部１２、第３の保持部１３、第４の保持部１４、及び第５の保持部１５から成る。また、第１の保持部１１は、例えば、外壁１１ｄを備えた円盤形状から成り、外壁１１ｄに囲まれた一面１１ａに、複数の貫通孔１１ｂが形成されている。ここで、第１の保持部１１の貫通孔１１ｂの輪郭は、例えば図１に示す照明装置Ｌ１の発光部の様に十字状に分岐された外形形状の少なくとも一部に沿って形成されている。さらに、第１の保持部１１は、外壁１１ｄに所定の間隔で係留穴１１ｅが開口されており、後述する係留部２０が挿入される。なお、第１の保持部１１は、例えば、ステンレス又は防錆剤で被覆された鉄から成る。
【００１５】
また、保持部１０の構成に関し、第２の保持部１２乃至第５の保持部１５は、外径及び内径が異なり、相似形の円筒形状から成る。具体的には、第２の保持部１２乃至第５の保持部１５は、例えば、外壁１２ｄ乃至１５ｄと内壁１２ｃ乃至１５ｃとを備えたリング状から成り、各外壁と各内壁に囲まれた一面１２ａ乃至１５ａに、複数の貫通孔１２ｂ乃至１５ｂが形成されている。ここで、第２の保持部１２乃至第５の保持部１５の貫通孔１２ｂ乃至１５ｂの輪郭は、例えば図１に示す照明装置Ｌ１の発光部の様に十字状に分岐された外形形状に沿って形成されている。さらに、第２の保持部１２乃至第５の保持部１５は、各外壁及び各内壁に所定の間隔で係留穴１２ｅ乃至１５ｅが開口されており、後述する係留部２０が挿入される。また、第３の保持部１３乃至第５の保持部１５は、各外壁から各内壁に向かって所定の間隔で補強用の側壁１３ｆ乃至１５ｆが設けられている。なお、第２の保持部１２乃至第５の保持部１は、例えば、ステンレス又は防錆剤で被覆された鉄から成る。
【００１６】
また、保持部１０の構成に関し、例えば図５に示す斜視図は、発明の理解を容易にするために、第２の保持部１２のみを図示したものであり、第２の保持部１２の外壁１２ｄ及び内壁１２ｃに囲まれた一面１２ａに複数の貫通孔１２ｂが形成されている。また、貫通孔１２ｂは、照明装置Ｌ１の発光部の形状に合わせて、十字状に形成されている。さらに、貫通孔１２ｂは、十字状に形成された孔の中央に、矩形状に形成された孔を備えている。
【００１７】
また、保持部１０に対する照明装置の挿入方法に関し、図６（ａ）は、第２の保持部１２に形成された複数の十字状に形成された貫通孔１２ｂに、先端が十字状に分岐された導光板から成る発光部が設けられた照明装置Ｌ１をそれぞれ挿入している状態を示している。また、図６（ｂ）は、第２の保持部１２に形成された複数の貫通孔１２ｂに、主面に凹部が形成され先端が十字状に分岐された導光板から成る発光部が設けられた照明装置Ｌ２をそれぞれ挿入している状態を示している。ここで、例えば図６（ａ）に示す照明装置Ｌ１の発光部の根元の部分から導出された光は、第２の保持部１２の一面１２ａで遮光されることなく、貫通孔１２ｂの中央に矩形状に形成された孔から外部に導出される。
【００１８】
また、保持部１０の配設方法に関し、例えば図４に示す断面図に図示しているように、第１の保持部１１、第２の保持部１２、第３の保持部１３、第４の保持部１４、及び第５の保持部１５は、外径及び内径が異なり、隣接する各保持部に所定の隙間が空いた状態である。また、図４に示す第１の保持部１１、第２の保持部１２、第３の保持部１３、第４の保持部１４、及び第５の保持部１５は、第５の保持部１５が相対的に最も高く且つ第１の保持部１１が相対的に最も低く位置するように、上下方向に位置を異ならせて立体状に配設されている。
【００１９】
ここで、保持部１０の配設方法に関し、図４に示す配設方法に限定されることはなく、例えば図７（ａ）に示すように、第１の保持部１１が相対的に最も高く且つ第５の保持部１５が相対的に最も低く位置するように、上下方向に位置を異ならせて立体状に配設しても良い。また、図７（ｂ）に示すように、第２の保持部１２及び第３の保持部１３を除き、第１の保持部１１、第３の保持部１３、及び第５の保持部１５のみ配設することにより、隣接する保持部の間隔を十分に設けても良い。同様に、図７（ｃ）に示すように、隣接する第５の保持部１５及び第４の保持部１４の高さを等しくし、且つ隣接する第３の保持部１３及び第２の保持部１２の高さを等しくした上で、第５の保持部１５、第３の保持部１３、第１の保持部１１の順で相対的に高く位置するように、立体状に配設しても良い。
【００２０】
また、保持部１０の外形形状に関し、該保持部１０の外形形状は、図２等に示す円形状に円形状に限定されることはなく、例えば、図８に示す保持部３０のように、多角形状としても良い。具体的には、図８に示す保持部３０の外形形状は、八角形から成る。また、図示していないが、保持部１０の外形形状を、照明機器１を設置する場所に載置された楕円形状から成るテーブル等の形状に合わせて、楕円形状に形成しても良い。
【００２１】
また、保持部１０による照明装置の保持方法に関し、各保持部に形成された各貫通孔で、照明装置の発光部を保持する構成に限定されることはない。具体的には、例えば、各保持部に形成された各貫通孔に、照明装置の発光部を挿入した状態で、該照明装置の放熱部又は筐体部を保持する構成としても良い。
【００２２】
第１の実施形態の照明器具１を構成する係留部２０は、例えば図９に示すものであり、保持部１０を係留する。この様な係留部２０は、例えば、ネジを組み合わせた構造により長さを調整することが可能な構造から成る。ここで、係留部２０は、図２（ａ）に示すように、例えば、第１の保持部１１、第２の保持部１２、第３の保持部１３、第４の保持部１４、及び第５の保持部１５の係留穴１２ｅ乃至１５ｅの一部に装着され、第１の保持部１１乃至第５の保持部１５を一体に係留している。具体的には、係留部２０は、図１０に示すように、一端部２１、連結部２２、及び他端部２３から構成されている。また、一端部２１は、一端にネジ山が形成され他端が半球状から成る可動機構２１ａ、及び該可動部２１ａの他端を回動可能に収納する円筒形状の保持機構２１ｂから成る。また、他端部２３は、一端部２１と同様の構造から成る。また、連結部２２は、円筒形状からなり内周面にネジ溝が形成され、一端部２１及び他端部２３の各可動機構が回動可能にネジ留めされる。ここで、一端部２１、他端部２３、又は連結部２２を回転させることにより、係留部２０の長さを調整する。具体的には、例えば、係留部２０の一端部２１に設けられた６角形から成る調整機構２１ｃをスパナで保持した状態で、連結部２２を回動させて、係留部２０の長さを調整する。また、係留部２０は、図９（ａ）及び図９（ｂ）に示すように、延伸及び屈折させることができる。
【００２３】
第１の実施形態の照明器具１を構成する係留部４０は、例えば図１１に示すものであり、簡便な部材から成り、保持部１０を係留する。この様な係留部４０は、係留部３０と同様に、長さを調整することが可能な構造から成る。ここで、係留部４０は、前述した係留部２０と同様に、例えば、第１の保持部１１、第２の保持部１２、第３の保持部１３、第４の保持部１４、及び第５の保持部１５の係留穴１２ｅ乃至１５ｅの一部に装着され、第１の保持部１１乃至第５の保持部１５を一体に係留する。具体的には、係留部４０は、図１１及び図１２に示すように、一端部４１、連結部４２、他端部４３、固定部４４、及び脱落防止部４５から構成されている。また、一端部４１は、例えば、円筒形状から成り、固定部４４を留める係留穴が外周面に複数形成されている。また、連結部４２は、例えば、所定の強度を備えた金属製のワイヤーから成り、一端部４１及び他端部４３に通される。また、他端部４３は、一端部４１と同様の構造から成る。また、固定部４４は、例えば、ネジから成る。また、脱落防止部４５は、円盤形状から成り、連結部４２を通す貫通穴４５ａが２つ形成されている。
【００２４】
ここで、係留部４０に関し、任意の長さの連結部４２を、一端部４１に設けられた固定部４４及び他端部４３に設けられた固定部４４で、それぞれ付勢して固定することにより、係留部４０の長さを調整する。また、係留部４０は、連結部４２が例えばワイヤーから成るため、任意に屈折及び屈曲等させることができる。ここで、連結部４２の両端を、一対の脱落防止部４５に形成された貫通穴４５ａに通して輪にした状態で、それぞれ接合している。したがって、連結部４２は、仮に固定部４４が緩んで該固定部４４により十分に付勢されなくなった場合でも、一対の脱落防止部４５が一端部４１及び他端部４３にそれぞれ当接して停止することにより、一端部４１及び他端部４３から脱落することがない。なお、長さを調整可能な係留部は、上述した係留部２０又は係留部４０の構成に限定されることはなく、例えば鎖を用いることができる。また、例えば図４に示す保持部１０の第５の保持部１５の外壁１５ｄに形成された係留穴１５ｅには、天井面から吊り下げられた鎖を連結する。
【００２５】
以上、第１の実施形態の照明器具１によれば、例えば複数の照明装置の間隔や高さ等を任意に選択して、該複数の照明装置を立体状に配設することができる。
【００２６】
具体的には、第１の実施形態の照明器具１によれば、各保持部に複数設けられた全ての貫通孔に照明装置を挿入したり、各保持部に複数設けられた貫通孔の中で所定の貫通孔にのみに照明装置を挿入することにより、照明装置の間隔を任意に選択することができる。また、第１の実施形態の照明器具１によれば、例えば図４に示す様に、第１の保持部１１、第２の保持部１２、第３の保持部１３、第４の保持部１４、及び第５の保持部１５は、第５の保持部１５が相対的に最も高く且つ第１の保持部１１が相対的に最も低く位置するように、上下方向に位置を異ならせて立体状に配設することができる。また、例えば、図７（ａ）に示すように、第１の保持部１１が相対的に最も高く且つ第５の保持部１５が相対的に最も低く位置するように、上下方向に位置を異ならせて立体状に配設しても良い。したがって、第１の実施形態の照明器具１によれば、例えば複数の照明装置の間隔や高さ等を任意に選択して、該複数の照明装置を立体状に配設することができる。
【００２７】
また、第１の実施形態の照明器具１によれば、例えば、保持部１０の第５の保持部１５に設けられた複数の貫通孔１５ｂの輪郭は、図１に示す照明装置Ｌ１の発光部の十字状に分岐された外形形状に沿って形成され、且つ回転対称の関係にある。したがって、第１の実施形態の照明器具１によれば、複数の照明装置Ｌ１の発光部の方向を、保持部１０の円周方向に沿って定められた方向に容易に整列させることができる。
【００２８】
また、第１の実施形態の照明器具１によれば、例えば、保持部１０の第２の保持部１２、第３の保持部１３、第４の保持部１４、及び第５の保持部１５を、水平方向に並列して平面状に配設することができる。なお、具体的には、例えばリング状に形成された第５の保持部１５の内部に、リング状に形成された第４の保持部１４を配設することができる。また、保持部は、円形のリング状に限定されることはなく、６角形等から成る多角形のリング状で形成しても良い。
【００２９】
また、第１の実施形態の照明器具１によれば、例えば、保持部１０の第１の保持部１１、第２の保持部１２、第３の保持部１３、第４の保持部１４、及び第５の保持部１５が、長さを調整可能な係留部２０又は４０等により、所定の間隔及び角度で配設することができる。したがって、保持部１０の第１の保持部１１、第２の保持部１２、第３の保持部１３、第４の保持部１４、及び第５の保持部１５を、様々な位置に配設することにより、照明器具１の高さ方向の長さを変えることができることから、デザインを任意に変更することができる。また、保持部１０の第１の保持部１１、第２の保持部１２、第３の保持部１３、第４の保持部１４、及び第５の保持部１５を、それぞれ異なる角度に配設することにより、照明器具１の各保持部に挿入した照明装置から任意の光学特性を得ることができる。
【００３０】
さらに、第１の実施形態の照明器具１によれば、保持部１０の外形形状は、図２等に示す円形状に円形状に限定されることはなく、例えば、図８に示す保持部３０のように、多角形状としても良い。また、保持部１０の外形形状を、照明機器１を設置する場所に載置された楕円形状から成るテーブル等の形状に合わせて、楕円形状に形成しても良い。したがって、第１の実施形態の照明器具１によれば、例えば、保持部１０の外形形状を、多角形状から成るテーブルの形状に合わせて形成することができる。
【００３１】
また、第１の実施形態の照明器具１によれば、保持部に形成された各貫通孔で、照明装置の発光部を保持する構成に限定されることはない。具体的には、例えば、各保持部に形成された各貫通孔に、照明装置の発光部を挿入した状態で、該照明装置の放熱部又は筐体部を保持する構成としても良い。具体的には、照明装置の放熱部を、例えば保持部１０に形成された貫通孔で保持する構成とし、該保持部１０を熱伝導率が高い材料で形成すれば、照明装置の放熱性を高めることができる。また、照明装置の筐体部を、例えば保持部１０に形成された貫通孔で保持する構成とすれば、照明装置の筐体部の外形形状を利用して、複数の照明装置の方向を、保持部１０の円周方向に沿って定められた方向に容易に整列させることができる。
【００３２】
［第２の実施形態］
次に、本発明の第２の実施形態に係る照明器具２について、図１３及び図１４を参照しながら、具体的に説明する。
【００３３】
なお、本発明の第２の実施形態の照明器具２は、例えば図１３に示すように、保持部５０及び６０の貫通孔５０ｂ及び６０ｂが、該保持部５０及び６０に備えられた挿入部５１及び６１等に形成されていることに特徴を有している。また、それ以外の第２の実施形態に係る構成は、第１の実施形態で述べた構成と同様である。そこで、第２の実施形態においては、第１の実施形態と異なる構成について中心に説明する。
【００３４】
第２の実施形態の照明器具２を構成する保持部５０は、図１３（ａ）に示すように、外壁５０ｄ及び内壁５０ｃに囲まれた一面５０ａに、挿入部５１を係合する装着孔５０ｇが形成されている。ここで、例えば、保持部５０の装着孔５０ｇは、輪郭が多角形状に形成されている。また、保持部５０の挿入部５１は、例えばアルミニウムから成り、円筒形状に形成されている。具体的には、挿入部５１は、照明装置の発光部を挿入する貫通孔５１ｂが一面５１ａに形成されている。さらに、挿入部５１の外周面５１ｈの一部は、保持部５０の装着孔５０ｇに対応して多角形状から形成されている。ここで、例えば照明装置Ｌ１が挿入される挿入部５１は、保持部５０の装着孔５０ｇに対して、着脱可能に備えられている。
【００３５】
また、第２の実施形態の照明器具２を構成する保持部６０は、図１３（ｂ）に示すように、外壁６０ｄ及び内壁６０ｃに囲まれた一面６０ａに、挿入部６１を係合する輪郭が円形状から成る装着孔６０ｇが形成されている。また、保持部６０の挿入部６１は、例えばアルミニウムから成り、円筒形状に形成され、照明装置の発光部を挿入する貫通孔６１ｂが一面６１ａに形成されている。また、挿入部６１の外周面６１ｈの一部は、保持部６０の装着孔６０ｇに対応して円形状から形成されている。ここで、例えば照明装置Ｌ１が挿入される挿入部６１は、保持部６０の装着孔６０ｇに対して、着脱可能に備えられている。さらに、挿入部６１は、保持部６０の装着孔６０ｇに対して、回動可能に備えられている。具体的には、挿入部６１は、保持部６０の装着孔６０ｇに当接した状態で、保持部６０の一面６０ａを基準として、時計回り又は反時計回りに回動させることができる。
【００３６】
ここで、保持部６０に関し、例えば、図１４に示すように、該保持部６０に備えられた複数の挿入部に、形状が異なる貫通孔をそれぞれ形成し、発光部の形状が異なる照明装置Ｌ１乃至Ｌ３をそれぞれ挿入することができる。具体的には、図１４では、先端が十字状に分岐された導光板から成る発光部が設けられた照明装置Ｌ１と、主面に凹部が形成され先端が十字状に分岐された導光板から成る発光部が設けられた照明装置Ｌ２が、十字状の貫通孔６１ｂが一面６１ａに形成された挿入部６１に挿入されている。また、図１４では、円形状から成る発光部が設けられた照明装置Ｌ３が、円状の貫通孔６２ｂが一面６２ａに形成された挿入部６２に挿入されている。この様に、発光部の形状や仕様が異なる照明装置Ｌ１乃至Ｌ３を、保持部６０に対して、着脱及び回動可能に備えることができる。
【００３７】
以上、第２の実施形態の照明器具２によれば、前述した第１の実施形態の照明器具１と同様に、例えば複数の照明装置の間隔や高さ等を任意に選択して、該複数の照明装置を立体状に配設することができる。
【００３８】
さらに、第２の実施形態の照明器具２によれば、例えば、図１４に示すように、保持部６０に備えられた複数の挿入部に、形状が異なる貫通孔をそれぞれ形成し、発光部の形状が異なる照明装置Ｌ１乃至Ｌ３をそれぞれ挿入することができる。具体的には、図１４では、先端が十字状に分岐された導光板から成る発光部が設けられた照明装置Ｌ１と、主面に凹部が形成され先端が十字状に分岐された導光板から成る発光部が設けられた照明装置Ｌ２が、十字状の貫通孔６１ｂが一面６１ａに形成された挿入部６１に挿入されている。また、図１４では、円形状から成る発光部が設けられた照明装置Ｌ３が、円状の貫通孔６２ｂが一面６２ａに形成された挿入部６２に挿入されている。この様に、発光部の形状や仕様が異なる照明装置Ｌ１乃至Ｌ３を、保持部６０に対して、着脱及び回動可能に備えることができる。
【００３９】
［第３の実施形態］
次に、本発明の第３の実施形態に係る照明器具３について、図１５を参照しながら、具体的に説明する。
【００４０】
なお、本発明の第３の実施形態の照明器具３は、図１５に示すように、保持部７０が複数に分割可能であることに特徴を有している。また、それ以外の第３の実施形態に係る構成は、第１の実施形態で述べた構成と同様である。そこで、第３の実施形態においては、第１の実施形態と異なる構成について中心に説明する。
【００４１】
第３の実施形態の照明器具３を構成する保持部７０は、図１５（ａ）に示すように、例えば、３つに分割することが可能である。なお、図１５では、照明器具３を構成する係留部２０の図示を、省略している。ここで、図１５（ｂ）に示すように、３つに分割された保持部７０の保持部片７０ａ、保持部片７０ｂ、及び保持部片７０ｃは、それぞれ一端に板状に形成された係合突起部７１を備え、他端に内部に空間を有するようにコの字状に形成された係合凹部７２を備えている。また、保持部７０を一体に接合する場合には、各保持部片の一端に備えられた係合突起部７１を、隣接した各保持部片の他端に備えられた係合凹部７２に接合する。具体的には、例えば、保持部片７０ａの一端に備えられた係合突起部７１を、隣接した保持部片７０ｂの他端に備えられた係合凹部７２に挿入し、該係合凹部７２に形成されたネジ溝に図示せぬネジを挿入して係合突起部７１を固定する。
【００４２】
以上、第３の実施形態の照明器具３によれば、前述した第１の実施形態の照明器具１と同様に、例えば複数の照明装置の間隔や高さ等を任意に選択して、該複数の照明装置を立体状に配設することができる。
【００４３】
さらに、第３の実施形態の照明器具３によれば、保持部７０を複数に分割可能とすることにより、該保持部７０を一体成形した場合と比較して、保持部片７０ａ乃至７０ｃの外形を小さくすることできる。したがって、第３の実施形態の照明器具３によれば、例えば金型成型により保持部片を製造する場合に、金型の大きさを抑えることができることから、金型費用を削減することができる。また、金型を搭載する成型機についても、相対的に小型のものを選択することができる。また、第３の実施形態の照明器具３によれば、保持部７０を複数に分割可能とし、保持部片７０ａ乃至７０ｃの外形を小さくしていることから、運搬する場合に、取り扱いが容易である。
【００４４】
なお、本願発明に係る第１又は第３の実施形態に係る照明器具１又は照明器具３において、保持部に円形状の貫通孔を形成し、該保持部の貫通孔に、球状の発光部を備えた電球タイプの照明装置を挿入して保持する構成としても良い。同様に、本願発明に係る第２の実施形態に係る照明器具２において、保持部に備えられた挿入部に円形状の貫通孔を形成し、該挿入部の貫通孔に、球状の発光部を備えた電球タイプの照明装置を挿入して保持する構成としても良い。ここで、一般的な電球タイプの照明装置の発光部は、該照明装置の筐体部等と比較して相対的に外形が大きく且つ球状から成る。したがって、照明装置の発光部が、照明器具の保持部又は挿入部の各貫通孔に対して、半分程度挿入された状態で保持される。
【００４５】
最後に、本願発明に係る第１乃至第３の実施形態に係る照明器具１乃至照明器具３の構成と主な作用効果について、請求項毎に具体的に説明する。
【００４６】
請求項１に記載の照明器具１乃至３は、照明装置を所定の配列で配設する照明器具であって、貫通孔が形成され、照明装置の発光部が貫通孔に挿入される保持部１０、３０、５０、６０、又は７０と、保持部１０、３０、５０、６０、又は７０を係留する係留部２０又は４０とを有し、例えば、複数の保持部１０の第１の保持部１１、第２の保持部１２、第３の保持部１３、第４の保持部１４、及び第５の保持部１５が、長さを調整可能な係留部２０又は４０等により、所定の間隔及び角度で配設されていることを特徴としている。
【００４７】
この様な請求項１に記載の照明器具１乃至３によれば、例えば複数の照明装置の間隔や高さ等を任意に選択して、該複数の照明装置を立体状に配設することができる。
【００４８】
具体的には、この様な請求項１に記載の照明器具１乃至３によれば、保持部１０、３０、５０、６０、又は７０に複数設けられた全ての貫通孔に照明装置を挿入したり、保持部１０、３０、５０、６０、又は７０に複数設けられた貫通孔の中で所定の貫通孔にのみに照明装置を挿入することにより、照明装置の間隔を任意に選択することができる。また、請求項１に記載の照明器具１乃至３によれば、例えば図４に示す様に、第１の保持部１１、第２の保持部１２、第３の保持部１３、第４の保持部１４、及び第５の保持部１５は、第５の保持部１５が相対的に最も高く且つ第１の保持部１１が相対的に最も低く位置するように、上下方向に位置を異ならせて立体状に配設することができる。また、例えば、図７（ａ）に示すように、第１の保持部１１が相対的に最も高く且つ第５の保持部１５が相対的に最も低く位置するように、上下方向に位置を異ならせて立体状に配設することができる。
【００４９】
また、この様な請求項１に記載の照明器具１乃至３によれば、例えば保持部１０の第５の保持部１５に設けられた複数の貫通孔１５ｂの輪郭は、例えば図１に示す照明装置Ｌ１の発光部の十字状に分岐された外形形状に沿って形成され、且つ回転対称の関係にある。したがって、第１の実施形態の照明器具１によれば、複数の照明装置Ｌ１の発光部の方向を、保持部１０の円周方向に沿って定められた方向に容易に整列させることができ、照明器具１に設けられた照明装置Ｌ１を視認した場合にデザイン性に優れた効果を得ることができる。さらに、この様な請求項１に記載の照明器具１乃至３によれば、例えば、複数の保持部１０の第１の保持部１１、第２の保持部１２、第３の保持部１３、第４の保持部１４、及び第５の保持部１５を、様々な位置に配設することにより、照明器具１乃至３の高さ方向の長さを変えることができることから、デザインを任意に変更することができる。また、この様な請求項１に記載の照明器具１乃至３によれば、例えば、複数の保持部１０の第１の保持部１１、第２の保持部１２、第３の保持部１３、第４の保持部１４、及び第５の保持部１５を、それぞれ異なる角度に配設することにより、任意の光学特性を得ることができる。なお、長さを調整可能な係留部には、例えば鎖を用いることができる。
【００５０】
請求項２に記載の照明器具１乃至３は、照明装置を所定の配列で配設する照明器具であって、貫通孔が形成され、照明装置の発光部が貫通孔に挿入される保持部１０、３０、５０、６０、又は７０と、保持部１０、３０、５０、６０、又は７０を係留する係留部２０又は４０とを有し、保持部５０又は６０の貫通孔は、保持部５０又は６０に備えられた挿入部５１、６１、又は６２に形成され、保持部６０に備えられた複数の挿入部６１又は６２は、形状が異なる貫通孔がそれぞれ形成され、形状が異なる照明装置の発光部がそれぞれ挿入されていることを特徴としている。
【００５１】
この様な請求項２に記載の照明器具によれば、保持部５０又は６０に発光部の形状や仕様が異なる照明装置を設けることができることから、個々の照明装置に合わせて保持部５０又は６０を製造する必要がなく、該保持部５０又は６０のコストを削減することができる。さらに、この様な請求項２に記載の照明器具２によれば、例えば図１４に示すように、先端が十字状に分岐された導光板から成る発光部が設けられた照明装置Ｌ１と、主面に凹部が形成され先端が十字状に分岐された導光板から成る発光部が設けられた照明装置Ｌ２を、十字状の貫通孔６１ｂが一面６１ａに形成された挿入部６１に挿入することができる。さらに、円形状から成る発光部が設けられた照明装置Ｌ３が、円状の貫通孔６２ｂが一面６２ａに形成された挿入部６２に挿入することができる。したがって、請求項２に記載の照明器具２によれば、発光部の形状や仕様が異なる照明装置Ｌ１乃至Ｌ３を、保持部６０に対して設けることができることから、デザイン性に優れている。
【００５４】
請求項３に記載の照明器具２は、請求項２に従属し、保持部５０又は６０に備えられた挿入部５１、６１、又は６２は、保持部５０又は６０に対して着脱可能又は回動可能であることを特徴としている。
【００５５】
この様な請求項３に記載の照明器具２によれば、保持部５０又は６０に設ける照明装置を、交換可能であり、且つ角度を調整可能であることから、照明装置の保守が容易であり、且つ任意の光学特性を得ることができ、さらにデザインを変えることができる。
【００５８】
請求項４に記載の照明器具３は、請求項１又は２に従属し、保持部７０は、複数に分割可能であることを特徴としている。
【００５９】
この様な請求項４に記載の照明器具３によれば、保持部７０を複数に分割可能とすることにより、該保持部７０を一体成形した場合と比較して、保持部片７０ａ乃至７０ｃの外形を小さくすることできる。したがって、請求項６に記載の照明器具３によれば、例えば金型成型により保持部片を製造する場合に、金型の大きさを抑えることができることから、金型費用を削減することができる。また、金型を搭載する成型機についても、相対的に小型のものを選択することができる。また、請求項４に記載の照明器具３によれば、保持部７０を複数に分割可能とし、保持部片７０ａ乃至７０ｃの外形を小さくしていることから、運搬する場合に、取り扱いが容易である。
【００６０】
請求項５に記載の照明器具１乃至３は、請求項１又は２に従属し、例えば、保持部１０の第２の保持部１２、第３の保持部１３、第４の保持部１４、及び第５の保持部１５は、リング状から形成されていることを特徴としている。
【００６１】
この様な請求項５に記載の照明器具１乃至３によれば、例えば、保持部１０の第２の保持部１２、第３の保持部１３、第４の保持部１４、及び第５の保持部１５を、水平方向に並列して平面状に配設することができる。なお、具体的には、例えばリング状に形成された第５の保持部１５の内部に、リング状に形成された第４の保持部１４を配設することができる。また、保持部は、円形のリング状に限定されることはなく、６角形等から成る多角形のリング状で形成しても良い。
【００６２】
請求項６に記載の照明器具１乃至３は、請求項１又は２に従属し、保持部１０、３０、５０、６０、又は７０は、外周面が円形状又は多角形状に形成されていることを特徴としている。
【００６３】
この様な請求項６に記載の照明器具によれば、保持部１０、３０、５０、６０、又は７０の外形形状を、照明機器１乃至３を設置する場所に載置された、例えば楕円形状から成るテーブルの形状に合わせて形成することができることから、デザイン性に優れている。
【００６４】
請求項７に記載の照明器具１乃至３は、請求項１又は２に従属し、例えば、外形の大きさが異なる保持部１０の第１の保持部１１、第２の保持部１２、第３の保持部１３、第４の保持部１４、及び第５の保持部１５が、上下方向に位置を異ならせて立体状に配設され、又は水平方向に並列して平面状に配設されていることを特徴としている。
【００６５】
この様な請求項７に記載の照明器具１乃至３によれば、例えば、図７（ａ）に示すように、第１の保持部１１が相対的に最も高く且つ第５の保持部１５が相対的に最も低く位置するように、上下方向に位置を異ならせて立体状に配設することができる。また、図７（ｂ）に示すように、第２の保持部１２及び第３の保持部１３を除き、第１の保持部１１、第３の保持部１３、及び第５の保持部１５のみ配設することにより、隣接する保持部の間隔を十分に設けることができる。同様に、図７（ｃ）に示すように、隣接する第５の保持部１５及び第４の保持部１４の高さを等しくし、且つ隣接する第３の保持部１３及び第２の保持部１２の高さを等しくした上で、第５の保持部１５、第３の保持部１３、第１の保持部１１の順で相対的に高く位置するように、立体状に配設することができる。したがって、請求項９に記載の照明器具１乃至３によれば、デザインを任意に変更することができ、且つ任意の光学特性を得ることができる。
【符号の説明】
【００７０】
１，２，３  照明器具
１０，３０，５０，６０，７０  保持部
１１  第１の保持部
１２  第２の保持部
１３  第３の保持部
１４  第４の保持部
１５  第５の保持部
１１ａ，１２ａ，１３ａ，１４ａ，１５ａ，５０ａ，６０ａ  一面
１１ｂ，１２ｂ，１３ｂ，１４ｂ，１５ｂ  貫通孔
１２ｃ，１３ｃ，１４ｃ，１５ｃ，５０ｃ，６０ｃ  内壁
１１ｄ，１２ｄ，１３ｄ，１４ｄ，１５ｄ，５０ｄ，６０ｄ  外壁
１１ｅ，１２ｅ，１３ｅ，１４ｅ，１５ｅ  係留穴
１３ｆ，１４ｆ，１５ｆ  側壁
５０ｇ，６０ｇ  装着孔
５１，６１，６２  挿入部
５１ａ，６１ａ，６２ａ  一面
５１ｂ，６１ｂ，６２ｂ  貫通孔
５１ｈ，６１ｈ，６２ｈ  外周面
７０ａ，７０ｂ，７０ｃ  保持部片
７１  係合突起部
７２  係合凹部
２０，４０  係留部
２１，４１  一端部
２１ａ  可動機構
２１ｂ  保持機構
２１ｃ  調整機構
２２，４２  連結部
２３，４３  他端部
４４  固定部
４５  脱落防止部
４５ａ  貫通穴
Ｌ１，Ｌ２，Ｌ３  照明装置
【図１】
0005554219.tif 000002
【図２】
0005554219.tif 000003
【図３】
0005554219.tif 000004
【図４】
0005554219.tif 000005
【図５】
0005554219.tif 000006
【図６】
0005554219.tif 000007
【図７】
0005554219.tif 000008
【図８】
0005554219.tif 000009
【図９】
0005554219.tif 000010
【図１０】
0005554219.tif 000011
【図１１】
0005554219.tif 000012
【図１２】
0005554219.tif 000013
【図１３】
0005554219.tif 000014
【図１４】
0005554219.tif 000015
【図１５】
0005554219.tif 000016